(57)【要約】【課題】従来のものよりも簡単な構成で、ロック状態を十分に自己保持する機能を持たせたディスクプレーヤを提供する。【解決手段】ロック機構が、シャーシに支持されて、ドライブユニットの前後方向に往復動作可能に配置され、ラックギアを有したトリガーカム４１と、このトリガーカムのラックギア４１Ｒに噛み合って、トリガーカムの往復動作に連動して回動するギアプレート９２と、このギアプレート９２の回動動作に連動して、ドライブユニット９の左右方向に往復動作するロックプレート９６と、このロックプレート９６に設けられたロック片９６Ｄとを備え、トリガーカム４１を前後方向に動作し、ロックプレート９６を左右方向に往復動作させて、ロック片９６Ｄを、ドライブユニットに固定された固定片９９の溝９９Ａに嵌入し、ドライブユニット９をシャーシ３にロックする。【選択図】図６
2007250070.tif 000002
【特許請求の範囲】
【請求項１】
シャーシの内側にドライブユニットをフローティング支持し、このドライブユニットにディスクをローディングし再生すると共に、少なくともディスクのイジェクトまたはローディング待機時には、ドライブユニットをフローティング解除して前記シャーシにロックするロック機構を備えたディスクプレーヤにおいて、
前記ドライブユニットを、ベースプレートと、このベースプレートと協働してディスクを挟持するスイングプレートとで構成し、ベースプレートとスイングプレートとの間にロック機構を配置し、このロック機構の動作を、スイングプレートの動作に連動させることを特徴とするディスクプレーヤ。
【請求項２】
前記ロック機構を、スイングプレートの閉じる動作に連動してロック解除することを特徴とする請求項１に記載のディスクプレーヤ。
【請求項３】
前記ロック機構を、カム部材と、ロック部材とで構成し、カム部材を、ベースプレートに回転自在に支持し、その基端及び自由端に、各々ギアを一体的に形成し、基端のギアを、スイングプレートに形成されたギアに噛み合わせ、自由端のギアを、ロック部材のギアに噛み合わせ、このロック部材を、ベースプレートに回転自在に支持し、その自由端を、スイングプレートに形成された開口から突出し、この自由端を、シャーシの裏面に当接させてロックし、スイングプレートの閉じる動作に連動して、この自由端を伏せさせることを特徴とする請求項１に記載のディスクプレーヤ。
【請求項４】
前記ロック機構が、ドライブユニットの片側に配置されていることを特徴とする請求項１ないし３のいずれかに記載のディスクプレーヤ。
【発明の詳細な説明】
【技術分野】
【０００１】
本発明は、車両に搭載されてＣＤ（コンパクトディスク）、ＤＶＤ（デジタル・バーサタイル・ディスク）等の記録媒体ディスクの情報を再生するディスクプレーヤに関する。
【背景技術】
【０００２】
従来のディスクプレーヤは、シャーシの内側にドライブユニットをフローティング支持し、このドライブユニットにディスクをローディングして再生すると共に、少なくともディスクのイジェクトまたはローディング待機時には、ドライブユニットをフローティング解除してシャーシにロックしている（例えば、特許文献１参照）。
【特許文献１】ＷＯ／２００１／０９１１１９号
【発明の開示】
【発明が解決しようとする課題】
【０００３】
この種のロック機構には、様々な提案がなされているが、従来の提案では、構造が複雑化し、部品点数が増大し、コスト高となると共に、当該構造を内蔵させるため、ディスクプレーヤが厚くなるといった問題があった。
【０００４】
そこで、本発明の目的は、上述した従来の技術が有する課題を解消し、従来のものよりも簡単な構成にして、部品点数を減らし、コスト削減し、かつ薄型化が図れるディスクプレーヤを提供することにある。
【課題を解決するための手段】
【０００５】
本発明は、シャーシの内側にドライブユニットをフローティング支持し、このドライブユニットにディスクをローディングし再生すると共に、少なくともディスクのイジェクトまたはローディング待機時には、ドライブユニットをフローティング解除して前記シャーシにロックするロック機構を備えたディスクプレーヤにおいて、前記ドライブユニットを、ベースプレートと、このベースプレートと協働してディスクを挟持するスイングプレートとで構成し、ベースプレートとスイングプレートとの間にロック機構を配置し、このロック機構の動作を、スイングプレートの動作に連動させることを特徴とする。
【０００６】
本構成では、ロック機構の動作を、スイングプレートの動作に連動させているため、それを動作させるための余分なアクチュエータ等が不要になり、簡単な構成で、部品点数を減少させ、コストを削減できる。また、構造が簡素化されるため、その分だけディスクプレーヤの薄型化が図られる。
【０００７】
この場合において、前記ロック機構を、スイングプレートの閉じる動作に連動してロック解除してもよい。また、前記ロック機構を、カム部材と、ロック部材とで構成し、カム部材を、ベースプレートに回転自在に支持し、その基端及び自由端に、各々ギアを一体的に形成し、基端のギアを、スイングプレートに形成されたギアに噛み合わせ、自由端のギアを、ロック部材のギアに噛み合わせ、このロック部材を、ベースプレートに回転自在に支持し、その自由端を、スイングプレートに形成された開口から突出し、この自由端を、シャーシの裏面に当接させてロックし、スイングプレートの閉じる動作に連動して、この自由端を伏せさせてもよい。また、前記ロック機構が、ドライブユニットの片側に配置されてもよい。
【０００８】
本構成では、ロック機構のロック部材は、スイングプレートの開閉動作に連動して起伏するため、これを起伏させるための余分なアクチュエータが不要になり、簡単な構成で、ロック機構を動作できる。
【発明の効果】
【０００９】
本発明では、ロック機構の動作を、スイングプレートの動作に連動させるため、それを動作させるための余分なアクチュエータ等が不要になり、簡単な構成で、部品点数を減少させ、コストを削減できる。また、構造が簡素化されるため、その分だけディスクプレーヤの薄型化が図れる。
【発明を実施するための最良の形態】
【００１０】
以下、本発明の一実施の形態を、図面に基づき説明する。
図１は、本実施の形態に係るディスクプレーヤの外観を示す斜視図である。このディスクプレーヤには、ＣＤ、ＤＶＤ等の例えば直径８ｃｍや、直径１２ｃｍ等の大きさの異なる記録媒体ディスクが引き込まれて、このディスクに記録された情報が再生される。１は本体を示し、この本体１は板金製のシャーシ３を備えている。このシャーシ３はロアーシャーシ５と、このロアーシャーシ５の上方を覆うアッパーシャーシ７とを備え、その内側には、図１では図示を省略したが、ディスクをローディングするためのローディングメカニズム、それをクランプするためのクランパメカニズム、それをドライブするためのドライブメカニズム等が設けられている。
【００１１】
図２は、アッパーシャーシ７を取り外した斜視図であり、図３は、ロアーシャーシ５の斜視図であり、図４は、ロアーシャーシ５にドライブユニット９を取り付けた左方視の斜視図であり、図５は、同じくロアーシャーシ５にドライブユニット９を取り付けた右方視の斜視図である。
【００１２】
上記ロアーシャーシ５は、図３に示すように、枠状に形成され、このロアーシャーシ５には、ダンパ及びばねを備えた３つの防振構造体１１が取り付けられ、この防振構造体１１の上に、図２に示すように、クランパメカやドライブメカが一体化されたドライブユニット９が載置されて、フローティング支持されている。
このドライブユニット９は、図４及び図５に示すように、ベースプレート１３と、このベースプレート１３の後端部の両側にヒンジ１５で連結され、先端１７Ａを閉じる方向にばね付勢されて、ベースフレーム１３と協働してディスクを挟持するスイングプレート１７とを備えている。このスイングプレート１７の先端１７Ａには回転板１９が支持され、この回転板１９に対向するマグネット入りのターンテーブル２１が、ベースプレート１３に支持されている。そして、後述するように、ディスクが挿入されて、スイングプレート１７が閉じると、先端１７Ａの回転板１９とマグネット入りのターンテーブル２１とで挟持されてディスクが回転可能になる。
【００１３】
図１に示すように、本体１の前面には横長のディスクの挿入口２３が形成され、この挿入口２３の奥には、図２に示すように、ロアーシャーシ５の前部のモータ２４で駆動されるローディングローラ２５が設けられている。
このローディングローラ２５は、ディスクが検知されると、モータ２４により駆動されて、当該ディスクを本体１内に引き込む。このローディングローラ２５は、ローラ支持板２７に支持され、このローラ支持板２７の基部は、ヒンジピン２８によりロアーシャーシ５に連結されている。よって、このローディングローラ２５は、ローラ支持板２７の揺動により、その高さ位置を変位させる。
【００１４】
ドライブユニット９の上面の左後部には支持ピン３０を介してトリガープレート３１が揺動自在に支持されている。このトリガープレート３１は、ばね３１Ｓにより、反時計方向に付勢されており、その一端３１Ａには、ドライブユニット９の内方に折り曲げられた、２つの爪部３２，３３が各々一体に形成されている。一方の爪部３２には、引き込まれた８ｃｍディスクが当接可能であり、他方の爪部３３には、引き込まれた１２ｃｍディスクが当接可能である。トリガープレート３１の他端３１Ｂは、ドライブユニット９の外側に延出し、ドライブユニット９の外壁に沿って下方に折り曲げられている。この他端３１Ｂは、ロアーシャーシ５に配置されたトリガー３５の後面３５Ｋに当接する。そして、ディスクが本体１に引き込まれ、爪部３２，３３のいずれかに当接し、トリガープレート３１が反時計方向に回動すると、このトリガープレート３１が、トリガー３５を前進（矢印Ｘの方向）させる。このトリガー３５は、図４に示すように、ばね３４により、通常時、他端３１Ｂ側（矢印Ｙの方向）に付勢されている。
【００１５】
このトリガー３５の一部は、図４に示すように、ロアーシャーシ５の底部を前方に延出し、この延出部の上面にはトリガーラックギア３５Ａが一体に形成されている。このトリガーラックギア３５Ａの前方には、ロアーシャーシ５の側板５Ａに支持されたファイナルギア３７（図３参照）が配置されている。このファイナルギア３７は、通常時にトリガーラックギア３５Ａに噛み合わない位置に支持されており、トリガープレート３１が回動して、トリガー３５が前進したときにのみ、トリガーラックギア３５Ａに噛み合う。ファイナルギア３７は、図２に示すように、複数のギアからなるギア輪列３８を介して、ロアーシャーシ５の前部の上記モータ２４に連結されており、モータ２４の駆動時に、トリガーラックギア３５Ａとファイナルギア３７とが一旦噛み合うと、それ以後は、ファイナルギア３７、モータ２４の駆動力でトリガー３５が前進する。
【００１６】
このトリガー３５には、図４に示すように、トリガーカム４１が一体に連結されている。このトリガーカム４１は、ギア輪列３８の内側を当該ギア輪列３８と平行に延出し、その中程の上面には前方が徐々に、階段状に高くなるカム面４１Ａが形成され、その先端部にはローディングローラ２５の駆動軸２５Ａ（図２参照）を案内する前上がりの階段状の傾斜溝４１Ｂが形成されている。カム面４１Ａには、ドライブユニット９のスイングプレート１７の一部１７Ｂが当接している。
トリガー３５がファイナルギア３７に噛み合い、ストロークエンドに移動した後、トリガーカム４１を押し出し、トリガーカム４１のラックがファイナルギア３７と噛み合い、トリガーカム４１が前進（矢印Ｘの方向）する。
【００１７】
上記トリガーカム４１が前進（矢印Ｘの方向）すると、上記一部１７Ｂが当接しているカム面４１Ａが徐々に低くなって、スイングプレート１７が、ばね力で閉じる方向に揺動し、さらに前進してトリガーカム４１が前進限界の位置に移動すると、一部１７Ｂがカム面４１Ａから完全に離れ、スイングプレート１７の先端の回転板１９と、ターンテーブル２１とによるディスクのクランプが完了する。それと同時に、スイングプレート１７の一部１７Ｂとカム面４１Ａとの係合解除によって、ドライブユニット９が、３つの防振構造体１１を介して完全にフローティング支持される。また、同時に、ローディングローラ２５の駆動軸２５Ａが、傾斜溝４１Ｂに沿って低い位置に移動し、ローラ支持板２７の揺動により、ローディングローラ２５が低く変位し、このローディングローラ２５が、クランプ時のディスクの下面から離れる。この状態において、ターンテーブル２１を回転させてディスクの再生が行われる。
【００１８】
上記モータ２４を逆回転させると、ギア輪列３８、ファイナルギア３７及びトリガーラックギア３５Ａを介して、トリガー３５及びトリガーカム４１が後退（矢印Ｙの方向）する。それに伴って、上記一部１７Ｂが当接しているカム面４１Ａが徐々に高くなり、スイングプレート１７が、ばね力に抗して押し上げられて開く方向に揺動する。さらに後退してトリガーカム４１が後退限界の位置に移動すると、一部１７Ｂがカム面４１Ａの最も高い位置に乗り上げて、スイングプレート１７の先端の回転板１９と、ターンテーブル２１との間にディスク挿入用の隙間を形成する。
【００１９】
それと同時に、ローディングローラ２５の駆動軸２５Ａが、傾斜溝４１Ｂに沿って徐々に高い位置に移動し、後退限界の位置では、ローラ支持板２７の揺動により、ローディングローラ２５が、ディスクの下面に接触するまで高く変位する。そして、このディスクはローディングローラ２５によりイジェクトされる。
ディスクをイジェクトした後に、ローディング待機の状態となる。イジェクトもしくはローディング待機の状態では、ドライブユニット９が、つぎの説明によるロック機構により、シャーシ３にロックされる。
【００２０】
つぎに、ドライブユニット９のロック機構を説明する。
このロック機構は、第一ロック機構、及び第二ロック機構の２つの機構からなり、図６及び図７は、第一ロック機構のロック状態を示し、図８及び図９は、第一ロック機構のロック解除状態を示す。また、図１０は、第二ロック機構のロック状態を示し、図１１は、第二ロック機構のロック解除状態を示す。
【００２１】
第一ロック機構１００は、図６に示すように、ロアーシャーシ５の底板に、ピン９１を介して、ギアプレート９２を支持して構成されている。このギアプレート９２の固定端９２Ａには、ばね９３の一端が連結されて、ばね９３の他端は、ロアーシャーシ５の固定部５Ｋに連結されている。ロアーシャーシ５、及びギアプレート９２には、２つの異なるカム孔９４，１９４が形成され、ギアプレート９２のカム孔９４はサブロックプレート９８のピン９５と嵌合している。また、カム孔１９４はロックプレート９６のピン１９７と嵌合している。ギアプレート９２は、ピン９１の周りを回動自在に支持されると共に、常時、ばね９３で反時計方向に付勢されている。
このギアプレート９２の外周には、ギア９２Ｇが一体に形成され、このギア９２Ｇが、上述したトリガーカム４１の底部の内面に形成された、ドライブユニット９の前後方向に延びたラックギア４１Ｒに噛み合っている。
【００２２】
ロックプレート９６は、ギアプレート９２の回動動作に連動して左右方向（矢印Ｑの方向）に往復動作する。このロックプレート９６は、図中で左端９６Ａ、下端９６Ｂ、及び上端９６Ｃを有した平板であり、図７に示すように、上方に折り曲げられて立ち上がるロック片９６Ｄ，９６Ｆと、円弧孔９６Ｅとを備えている。
ロック片９６Ｄは、固定片９９の溝９９Ａに嵌入自在であり、この固定片９９は、ドライブユニット９のベースプレート１３（図１０参照）に固定されている。また、ロック片９６Ｆは、固定片１３Ｘ（図１１参照）に嵌合自在であり、固定片１３Ｘはベースプレート１３に一体に形成されている。
【００２３】
上記円弧孔９６Ｅには、ピン９７が遊嵌されており、このピン９７は、ギアプレート９２に固定されて上方に延び、その上端がサブロックプレー９８の長孔９８Ａに遊嵌している。このサブロックプレー９８は、ロックプレート９６の上方に、当該ロックプレート９６と同一方向に延在している。ギアプレート９２のカム孔１９４に、ロックプレート９６のピン１９７が嵌合し、また、同じくカム孔９４に、サブロックプレート９８のピン９５が嵌合し、ギアプレート９２の回動に伴い、ロックプレート９６とサブロックプレート９８が、図６に示す矢印Ｑの方向に往復動作する。図１１で、ロックプレート９６とサブロックプレート９８が、矢印Ｒの方向に動作すると、ロック片９６Ｄが、固定片９９の溝９９Ａに嵌入すると共に、ロック片９６Ｆが、固定片１３Ｘに嵌合し、これにより、ドライブユニット９がロック状態となり、矢印Ｒと反対の方向に動作すると、ロック片９６Ｄが、固定片９９の溝９９Ａから離脱すると共に、ロック片９６Ｆが、固定片１３Ｘから離脱し、これにより、ドライブユニット９がロック解除される。
【００２４】
また、図３を参照し、トリガー３５の下部には貫通孔３５Ｍがあけられ、貫通孔３５Ｍにはフォーク爪２１１が嵌合し、このフォーク爪２１１は、図示を省略したが、ベースプレート１３に一体に形成されている。従って、トリガー３５が前進すると、貫通孔３５Ｍからフォーク爪２１１が離脱し、トリガー３５が後退限界位置にまで後退すると、このフォーク爪２１１が貫通孔３５Ｍに嵌合し、これによっても、ドライブユニット９がロック状態となる。本実施の形態では、ロック状態に至ると、フォーク爪２１１が貫通孔３５Ｍに嵌合し、ロック片９６Ｄが固定片９９の溝９９Ａに嵌入し、ロック片９６Ｆが固定片１３Ｘに嵌合し、３点でロックされる。
【００２５】
第二ロック機構１１０は、図１０に示すように、第一ロック機構１００と反対側に位置し、ドライブユニット９に配置されている。
すなわち、第二ロック機構１１０は、カム部材１１１と、ロック部材１２１とで構成されている。カム部材１１１は、ピン１１２により、ドライブユニット９のベースプレート１３に回転自在に支持されており、その基端及び自由端には、各々ギア１１１Ａ，１１１Ｂが一体的に形成されている。基端のギア１１１Ａは、ドライブユニット９のスイングプレート１７に形成されたギア１１３に噛み合い、自由端のギア１１１Ｂは、ロック部材１２１のギア１２１Ａに噛み合っている。
【００２６】
このロック部材１２１は、ピン１２２により、上記ベースプレート１３に回転自在に支持されており、その自由端１２１Ｂが、上記ドライブユニット９のスイングプレート１７に形成された開口１２３から突出している。
この状態では、上記開口１２３から上方に突出した自由端１２１Ｂが、図示は省略したが、アッパーシャーシ７の裏面に当接し、自由端１２１Ｂの後方に延びた基端１２１Ｃが、図示は省略したが、ロアーシャーシ５に当接し、ドライブユニット９がアッパーシャーシ７とロアーシャーシ５とにロックされ、また、自由端１２１Ｂ及び基端１２１Ｃが伏せた状態（図１１）になると、ロックが解除される。
【００２７】
上記ロック機構のロック動作またはロック解除動作は、上述したトリガー３５、及びトリガーカム４１の動作に連動して行われる。
第一ロック機構１００、及び第二ロック機構１１０は、タイムラグを持ってロックされ、またタイムラグを持ってロック解除される。ロック解除された場合、第一ロック機構１００では、図８及び図９に示すように、ロック片９６Ｄが、固定片９９の溝９９Ａに嵌入しておらず、第二ロック機構１１０では、図１１に示すように、ロック部材１２１の自由端１２１Ｂが伏せ、スイングプレート１７の開口１２３から突出していない。この場合、トリガー３５、及びトリガーカム４１は前進限界の位置にあり、上述したように、ドライブユニット９のスイングプレート１７が、ディスクを挟持するため、マグネット及びばね力で閉じ、ドライブユニット９が、３つの防振構造体１１を介してフローティング支持され、ターンテーブル２１を回転させてのディスク再生が可能になる。
【００２８】
ディスクのイジェクト動作に入り、上記モータ２４を逆回転させて、トリガー３５、及びトリガーカム４１が後退（矢印Ｙの方向）すると、ラックギア４１Ｒに噛み合うギア９２Ｇを有したギアプレート９２が、ピン９１の周りを時計方向に回動し、それに連れて、ロックプレート９６が、図８で図中右方に徐々に移動する。そして、後退限界の位置に達すると、図６に示すように、ロックプレート９６のロック片９６Ｄが、固定片９９の溝９９Ａに嵌入すると共に、ロック片９６Ｆが固定片１３Ｘに嵌合し、さらに、フォーク爪２１１が貫通孔３５Ｍに嵌合して第一ロック機構１００が機能し、ドライブユニット９が、アッパーシャーシ７とロアーシャーシ５とにロックされる。
【００２９】
また、トリガーカム４１を後退させた場合、スイングプレート１７の先端１７Ａが、図１１の状態から図１０の状態に向けて徐々に開いていく。これが開く過程では、図１０に示すように、カム部材１１１が、スイングプレート１７のギア１１３に噛み合って、矢印Ａの方向に回動し、これに連動してロック部材１２１が、ギア１１１Ｂ及びギア１２１Ａを介して、矢印Ｂの方向に回動し、その自由端１２１Ｂが、上記スイングプレート１７の開口１２３から突出する。そして、この突出した自由端１２１Ｂが、図示は省略したが、アッパーシャーシ７の裏面に当接し、基端１２１Ｃが、図示は省略したが、ロアーシャーシ５に当接し、第二ロック機構１１０が機能して、ドライブユニット９がアッパーシャーシ７とロアーシャーシ５とにロックされる。
【００３０】
本構成では、トリガーカム４１が、ドライブユニット９の前後方向に往復動作可能であり、トリガーカム４１の往復動作に連動するロックプレート９６が、ドライブユニット９の左右方向に往復動作可能であるため、ロック片９６Ｄを、固定片９９の溝９９Ａから脱出させる方向に力が作用しても、その力の作用方向は、トリガーカム４１の動作方向と直交し、このトリガーカム４１を往復動作させる力にならない。
従って、固定片９９の溝９９Ａから、ロック片９６Ｄを脱出させる方向に不意な力が作用したとしても、ロックが解除されることがなく、ドライブユニット９のロック状態が、十分に自己保持される。
【００３１】
また、トリガー３５及びトリガーカム４１、ギア輪列３８等からなる駆動機構が、すべてドライブユニット９の片側に配置され、それと同じ側に、第一ロック機構１００が配置されたため、これらを両側に配置したものと比べて、省スペース化が図れ、ディスクプレーヤの小型化が図られる。
【００３２】
上記のように、第一ロック機構１００が片側配置であっても、ドライブユニット９の反対側には、別の第二ロック機構１１０が配置されるため、簡単な構成で、いわゆる両側でのロック状態と等しくなり、万全なロックが得られる。さらに、この第二ロック機構１１０のロック部材１２１は、スイングプレート１７の開閉動作に連動して起伏するため、これを起伏させるための余分なアクチュエータが不要になり、簡単な構成で、第二ロック機構１１０を動作できる。
【００３３】
本構成では、図１に示すように、挿入されるディスクの外周部に当接して当該挿入口２３の側方に退避する一対のゲート部材５９を、ディスクの挿入口２３に備えて構成されている。このゲート部材５９は、挿入口２３に対しほぼ中心振り分けで配置された一対のターンプレート６２，６３を備え、これらターンプレート６２，６３は、図１２に示すように、アッパーシャーシ７の前部外面に、各々ピン（支持部材）６４，６５を介して連結されている。ターンプレート６２，６３は、ばね６０，６１により、閉じる方向（矢印Ａの方向）に付勢され、このターンプレート６２，６３には、挿入口２３に臨む一対のゲートピン６７，６８が取り付けられている。
【００３４】
また、ターンプレート６２，６３の基部にはスライド孔６２Ａ，６３Ａがあけられ、このスライド孔６２Ａ，６３Ａに嵌るピン７１，７２が、連結プレート７３に各々取り付けられている。これらターンプレート６２，６３の基部同士は、連結プレート７３で連結されている。この連結プレート７３には、ディスクの挿入方向（矢印Ｚの方向）に延びた一対のガイド孔７４，７５が形成され、このガイド孔７４，７５に嵌る案内部７６，７７は、アッパーシャーシ７の一部を切り起こして、上方に立ち上げた後、水平に曲げて形成され、この立ち上げた細い部分がガイド孔７４，７５に嵌る。７８はアッパーシャーシ７に取り付けられたプレートであり、このプレート７８はターンプレート６２，６３の閉じ方向のストッパとして機能する。
【００３５】
ディスクが挿入口２３に挿入された場合、ディスクは、上記ゲートピン６７，６８を側方に押し退ける。例えば、１２ｃｍ径の大きいディスク１００が挿入されると、図１３に示すように、ディスク１００の外周部１００Ａが、一対のゲートピン６７，６８を挿入口２３の側方に押し退け、ターンプレート６２，６３が開く方向（矢印Ｂの方向）に回動する。この回動に伴い、ピン７１，７２が、スライド孔６２Ａ，６３Ａの中を移動し、これにより、ターンプレート６２，６３の揺動に連動し、連結プレート７３が、案内部７６，７７に沿ってディスク挿入方向（矢印Ｚの方向）に往復移動する。
【００３６】
図１４は、８ｃｍ径の小さいディスク２００を挿入する場合の斜視図である。この場合には、挿入口２３の幅に比してディスク径が小さいため、挿入口２３の一方の端に偏って挿入される恐れがある。例えば、ディスク２００が一方のゲートピン６７の側に偏って挿入された場合、他方のゲートピン６８をほとんど押し退けずに、一方のピン６７だけを押し退けた状態になる。この場合には、一方のゲートピン６７の側のターンプレート６２だけが開く方向（矢印Ｂの方向）に回動する。
【００３７】
本構成では、他方のターンプレート６３が開かないで、一方のターンプレート６２だけが開く場合、連結プレート７３は、ピン７２の側が回動せずに、ピン７１の側だけが回動する。この場合、連結プレート７３が斜めになる。
【００３８】
この連結プレート７３が斜めになると、スライド孔６２Ａ，６３Ａに対し、案内部７６，７７が正対しなくなり、これら案内部７６，７７が、ガイド孔７４，７５の孔壁に引っかかって、連結プレート７３が、それ以上、ディスク２００の挿入方向（矢印Ｚの方向）に移動しなくなり、従って、ターンプレート６２，６３のそれ以上の回動が阻止されて、ディスクの挿入が阻止される。
この状態は、ディスク２００が他方のゲートピン６８の側に偏って挿入された場合も同様である。なお、ガイド孔７４，７５と、各孔７４，７５に嵌る案内部７６，７７はロック手段を構成している。
【００３９】
すなわち、本構成では、挿入口２３の端に偏ってディスク２００が挿入された場合、案内部７６，７７が、ガイド孔７４，７５の孔壁に引っかかって抵抗となり、連結プレート７３がロックされる。これによれば、いわゆる挿入口２３の端に偏ったディスクの挿入が禁止される。従って、従来のような、片側に寄った状態で吸い込まれたディスクを本体の内側で中央に案内するための機構が不要になり、その分、装置を小型化でき、特に装置の厚さ方向の寸法を小さくできる。
【００４０】
図１５は、アッパーシャーシ７を裏側から見た斜視図である。アッパーシャーシ７の内面には、アッパーシャーシ７の組み付け時に下方（ローディングローラ２５に相対する側）に突出して、挿入口２３に挿入されたディスクを下方（または上方）に案内する、２列に延びるガイドバー（案内機構）８１，８２が設けられる。
【００４１】
これらガイドバー８１，８２は、挿入口２３の横方向に相互に平行に延出し、各々が、挿入口２３の端に向けて高さを徐々に大きくする。手前のガイドバー８１は、中心に近い位置ｍから突部８１Ａの高さを徐々に大きくし、奥のガイドバー８２は、それよりも端に寄った位置ｎから突部８２Ａの高さを徐々に大きくする。一対のガイドバー８１，８２にはローディングローラ２５が対向し、このローラ２５とガイドバー８１，８２とに挟持されて、ディスクがローディングされる。
【００４２】
図１６は、８ｃｍ径のディスク２００を挿入した場合の断面図、図１７は、同じく斜視図、図１８は、１２ｃｍ径のディスク１００を挿入した場合の断面図、図１９は、同じく斜視図である。
【００４３】
図１６に示すように、８ｃｍ径のディスク２００を挿入した場合、挿入口２３から挿入されたディスク２００は、ローディングローラ２５と、各ガイドバー８１，８２の低い突部８１Ａ，８２Ａとの間に挟持されて、本体１の内側の高所に位置する第１のローディング経路ＲＫ１に沿って、本体１の奥にローディングされる。第１のローディング経路ＲＫ１の終端部には、第１のディスク当接部８３が位置し、ディスク２００は、第１のディスク当接部８３に当接して停止し、この段階でディスク２００が、図１７に示すように、トリガープレート３１の爪部３２を押動し、これをトリガーに、上述したように、ディスク２００のクランプ動作が実行される。
【００４４】
図１８に示すように、１２ｃｍ径のディスク１００を挿入した場合、挿入口２３から挿入されたディスク１００は、ローディングローラ２５と、各ガイドバー８１，８２の高くなった突部８１Ａ，８２Ａとの間に挟持されて、本体１の内側の低所に位置する第２のローディング経路ＲＫ２に沿って、本体１の奥にローディングされる。図１９に示すように、１２ｃｍ径のディスク１００の外周（図中右奥）にはガイドバー３３１が当接可能に形成されている。このガイドバー３３１はピン３１０により回動自在に支持され、ばね３１２を介して、ピン３１０回りを時計方向に付勢されている。図１７に示すように、ガイドバー３３１の自由端の下面には、奥下がりのテーパ面３１３が形成され、１２ｃｍ径のディスク１００が挿入されると、まず、このテーパ面３１３に沿ってディスク１００の先端１００Ａが下方に向けられ、トリガープレート３１の爪部３２が交わされる。そして、ディスク１００がさらに奥に進入すると、ガイドバー３３１が、ピン３１０回りを反時計方向に回動し、このガイドバー３３１がディスク１００の外周をガイドしつつ、安定したローディングが実行される。第２のローディング経路ＲＫ２の終端部には、第２のディスク当接部８４が位置しており、ディスク１００は、第２のディスク当接部８４に当接して停止して、この段階でディスク１００が、図１９に示すように、トリガープレート３１の爪部３３を押動し、これをトリガーにして、上述したように、ディスク１００のクランプ動作が実行される。このクランプが完了すると、上記ガイドバー３３１の下面の突起３１４が、スイングプレート１７側の窪み（図示せず）に嵌合し、このガイドバー３３１が、ディスク１００の外周から離れて固定される。従って、演奏時に、ガイドバー３３１がディスク１００に接触することがない。
【００４５】
本構成では、本体１の内側に上下に分けて異なるローディング経路ＲＫ１、ローディング経路ＲＫ２を形成したため、従来のように、ローディング経路の終端部に、径の異なるディスクを保持するための複雑な機構を設ける必要がなくなり、装置の薄型化を実現することができる。また、本構成は、例えば材質等が異なるディスクをローディングするディスクプレーヤにも適用でき、この場合、ローディング経路に材質等に応じた工夫を施せば、ディスクに傷等のつかないものが提供される。
【図面の簡単な説明】
【００４６】
【図１】本発明に係るディスクプレーヤの一実施の形態を示す斜視図である。
【図２】アッパーシャーシを取り外した斜視図である。
【図３】ロアーシャーシの斜視図である。
【図４】ロアーシャーシにドライブユニットを取り付けた左方視の斜視図である。
【図５】ロアーシャーシにドライブユニットを取り付けた右方視の斜視図である。
【図６】第一ロック機構のロック状態を示す平面図である。
【図７】第一ロック機構のロック状態を示す斜視図である。
【図８】第一ロック機構のロック解除状態を示す平面図である。
【図９】第一ロック機構のロック解除状態を示す斜視図である。
【図１０】第二ロック機構のロック状態を示す斜視図である。
【図１１】第二ロック機構のロック解除状態を示す斜視図である。
【図１２】一対のゲート部材を示す斜視図である。
【図１３】１２ｃｍディスクでゲート部材を開いた状態を示す斜視図である。
【図１４】８ｃｍディスクでゲート部材を開いた状態を示す斜視図である。
【図１５】アッパーシャーシを裏側から見た斜視図である。
【図１６】８ｃｍディスクを挿入した場合の断面図である。
【図１７】同じく斜視図である。
【図１８】１２ｃｍディスクを挿入した場合の断面図である。
【図１９】同じく斜視図である。
【符号の説明】
【００４７】
１  本体
３  シャーシ
５  ロアーシャーシ
７  アッパーシャーシ
９  ドライブユニット
１３  ベースプレート
１７  スイングプレート
２３  挿入口
４１  トリガーカム
４１Ｒ  ラックギア
９２  ギアプレート
９２Ｇ  ギア
９６  ロックプレート
９６Ｄ  ロック片
９９  固定片
９９Ａ  溝
１００  第一ロック機構
１１０  第二ロック機構
１１１  カム部材
１２１  ロック部材
１２１  自由端
【図１】
2007250070.tif 000003
【図２】
2007250070.tif 000004
【図３】
2007250070.tif 000005
【図４】
2007250070.tif 000006
【図５】
2007250070.tif 000007
【図６】
2007250070.tif 000008
【図７】
2007250070.tif 000009
【図８】
2007250070.tif 000010
【図９】
2007250070.tif 000011
【図１０】
2007250070.tif 000012
【図１１】
2007250070.tif 000013
【図１２】
2007250070.tif 000014
【図１３】
2007250070.tif 000015
【図１４】
2007250070.tif 000016
【図１５】
2007250070.tif 000017
【図１６】
2007250070.tif 000018
【図１７】
2007250070.tif 000019
【図１８】
2007250070.tif 000020
【図１９】
2007250070.tif 000021